(57)【特許請求の範囲】
【請求項１】
家具の固定部品（１）に対して、挿入された閉鎖位置と引き出された開放位置との間を側方スライドガイド（３）に沿って前後方向に移動可能な家具の可動部品（２）の移動を安定させるための装置であって、
前記側方スライドガイドには、前記固定部品（１）に対する前記可動部品（２）の少なくとも開移動の最初領域を成し遂げるための少なくとも１つの開閉装置（１７）が設けられており、
前記開閉装置（１７）は、前記挿入された閉鎖位置にある前記可動部品が前方から押されたことを検知したことに応じて、最初領域において前記可動部品の開移動を生じさせる装置であり、
前記固定部品（１）および前記可動部品（２）のいずれか一方の後方部分に拘束されるように接続される、少なくとも１つの回転および／またはスライド可能な寄り掛かり要素（２０）を有する本体部（１９）を含み、
前記固定部品（１）および前記可動部品（２）の他方に拘束され、かつ、前記寄り掛かり要素（２０）に寄り掛かられる側方隣接面（１０’）が、前記可動部品（２）の移動面に垂直、かつ、前記側方スライドガイド（３）と平行に配置されており、
前記寄り掛かり要素（２０）が、前記挿入された閉鎖位置での前記可動部品（２）の前記開移動の最初領域において、対応する前記側方隣接面（１０’）と当接状態を維持するように形成および配置された寄り掛かり面を有することを特徴とする、家具の可動部品の移動を安定させるための装置。
【請求項２】
前記本体部（１９）は、前記可動部品（２）自体に、または、前記可動部品（２）に拘束される前記側方スライドガイド（３）の１つにおける第１の要素（１４）に適用可能であり、
前記寄り掛かり要素（２０）は、前記固定部品（１）自体の、または、前記固定部品（１）に拘束される前記側方スライドガイド（３）の１つにおける第２の要素（１３）の前記側方隣接面（１０’）に寄り掛かり可能であることを特徴とする、請求項１に記載の家具の可動部品の移動を安定させるための装置。
【請求項３】
前記本体部（１９）は、前記固定部品（１）自体に、または、前記固定部品（１）に拘束される前記側方スライドガイド（３）の１つにおける第２の要素（１３）に適用可能であり、
前記寄り掛かり要素（２０）は、前記可動部品（２）自体の、または、前記可動部品（２）に拘束される前記側方スライドガイド（３）の１つにおける第１の要素（１４）の前記側方隣接面（７’）に寄り掛かり可能であることを特徴とする、請求項１に記載の家具の可動部品の移動を安定させるための装置。
【請求項４】
前記少なくとも１つの寄り掛かり要素（２０）は、前記本体部（１９）により回転可能に支持されていることを特徴とする、請求項１に記載の家具の可動部品の移動を安定させるための装置。
【請求項５】
前記少なくとも１つの寄り掛かり要素（２０）は、前記本体部（１９）と一部品として形成されていることを特徴とする、請求項１に記載の家具の可動部品の移動を安定させるための装置。
【請求項６】
前記本体部（１９）上の前記寄り掛かり要素（２０）の位置を調整するための調整手段を含むことを特徴とする、請求項１に記載の家具の可動部品の移動を安定させるための装置。
【請求項７】
前記調整手段は、偏心部（２６）を具備する調整レバー（２５）、または、偏心部（３６）を具備する調整用ねじボルト（３５）を含むことを特徴とする、請求項６に記載の家具の可動部品の移動を安定させるための装置。
【請求項８】
前記本体部（１９）は、回転ピン（２９）を含み、
前記少なくとも１つの寄り掛かり要素（２０）は、前記少なくとも１つの回転ピン（２９）に軸付された少なくとも１つのローラ（２８）を含むことを特徴とする、請求項１に記載の家具の可動部品の移動を安定させるための装置。
【請求項９】
前記本体部（１９）は、装置を固定するための平坦ベース部（２２，３３，３９，４２）を含み、
前記少なくとも１つの寄り掛かり要素（２０）は、前記本体部（１９）により回転可能に支持された１または２以上のローラ（２１，３２，３８，４１）を含むことを特徴とする、請求項１に記載の家具の可動部品の移動を安定させるための装置。
【請求項１０】
前記少なくとも１つの寄り掛かり要素（２０）は、前記本体部（１９）により回転可能に支持される２以上のローラ（３８）を含み、
前記ローラ（３８）の回転軸は、互いに平行であり、かつ、前記平坦ベース部（３９）に平行な水平面に含まれることを特徴とする、請求項９に記載の家具の可動部品の移動を安定させるための装置。
【請求項１１】
前記本体部（１９）は、少なくとも１つのローラ（３２）を有する前記少なくとも１つの寄り掛かり要素（２０）を支持する小板状部（３４）と、前記小板状部を支持および案内するためのヒンジとしての平坦ベース部（３３）とを含むことを特徴とする、請求項１に記載の家具の可動部品の移動を安定させるための装置。
【請求項１２】
前記本体部（１９）は、装置を固定するための、平坦ベース部（４３）または直角ベース部（４５）を含み、
前記寄り掛かり要素（４４，４６）は、丸みを帯びた形状を有していることを特徴とする、請求項５に記載の家具の可動部品の移動を安定させるための装置。
【請求項１３】
固定部品（１）と、前記固定部品（１）に対して、挿入された閉鎖位置と引き出された開放位置との間を、両側に配置された側方スライドガイド（３）に沿って前後方向に移動可能な可動部品（２）と、前記可動部品（２）における少なくとも開移動の最初領域を容易にするために、前記挿入された閉鎖位置にある前記可動部品が前方から押されたことを検知したことに応じて、最初領域において前記可動部品の開移動を生じさせる少なくとも１つの開閉装置（１７）とを含む家具であって、
請求項１〜１２のいずれかに記載の前記可動部品（２）の移動を安定させるための装置を有することを特徴とする、家具。
【請求項１４】
固定部品（１）と、前記固定部品（１）に対して、挿入された閉鎖位置と引き出された開放位置との間を、両側に配置された側方スライドガイド（３）に沿って前後方向に移動可能な可動部品（２）と、前記可動部品（２）における少なくとも開移動の最初領域を容易にするために、前記挿入された閉鎖位置にある前記可動部品が前方から押されたことを検知したことに応じて、最初領域において前記可動部品の開移動を生じさせる少なくとも１つの開閉装置（１７）とを含む家具であって、
前記可動部品（２）は、前記固定部品（１）に存在する区画（９）においてスライド可能な引き出し（４）を含み、
請求項２に記載の前記可動部品（２）の移動を安定させるための装置が、前記引き出し（４）の後部（８）および／または側部（７）に、あるいは、前記側方スライドガイド（３）の１つにおける前記第１の要素（１４）に設けられることを特徴とする、家具。
【請求項１５】
固定部品（１）と、前記固定部品（１）に対して、挿入された閉鎖位置と引き出された開放位置との間を、両側に配置された側方スライドガイド（３）に沿って前後方向に移動可能な可動部品（２）と、前記可動部品（２）における少なくとも開移動の最初領域を容易にするために、前記挿入された閉鎖位置にある前記可動部品が前方から押されたことを検知したことに応じて、最初領域において前記可動部品の開移動を生じさせる少なくとも１つの開閉装置（１７）とを含む家具であって、
前記可動部品（２）は、前記固定部品（１）に存在する区画（９）においてスライド可能な引き出し（４）を含み、
請求項３に記載の前記可動部品（２）の移動を安定させるための装置が、前記区画（９）を定める側壁（１０）に、または、前記側方スライドガイド（３）の１つにおける前記第２の要素（１３）に設けられることを特徴とする、家具。
【請求項１６】
前記装置として、第１および第２の安定装置を有し、
前記第１および第２の安定装置が、それぞれ、前記引き出し（４）の中央面に対して対向する位置に設けられることを特徴とする、請求項１４または１５に記載の家具。
【発明の詳細な説明】
【技術分野】
【０００１】
本発明は、家具の可動部品の移動を安定させるための装置に関し、特に、その両側に配置されたスライドガイドによって案内される家具の可動部品に適した装置である。
【背景技術】
【０００２】
家具の分野において、特に引き出しといった、家具のスライド部品が使用されることがよくある。このスライド部品には、ユーザによる開閉（opening and/or closing）を可能または容易にする適切な手段または開閉装置が備えられている。
【０００３】
特に、取っ手または特定の握り手段が無い場合、開放のための装置が設けられる。この装置は、ユーザが閉鎖位置にある引き出しまたは同様の要素を押すことに応じて、最初領域において開放方向の移動を生じさせる。この移動は、ユーザが、引き出しを把持し、完全に開放するのに十分な移動である。
【０００４】
とりわけ、家具のスライド部品がかなりの幅を有していたり重いような場合には、その寸法または容積のせいで、次のようなことが起こり得る。すなわち、ユーザにより家具部品（スライド部品）の側部領域または中心でない領域に対して動作が行なわれた場合、もしも、開閉装置が押された方の反対側に配置されているとすれば、ユーザによる動作は開閉装置を作動させるのに十分でないことがある。または、開閉装置が両側に設けられている場合であっても、ユーザの動作によって近い方の装置だけが作動して、離れた方の装置は不作動のままとなることもある。
【０００５】
実際、引き出しまたは同様の要素が、両側とも同じように平行に移動しないのは、その一方側のみが移動することにより、他方側の装置の動作を妨げ、傾きが生じるからである。
【０００６】
このような問題点を解決するために、引き出しまたは同様の要素に適した移動安定装置が従来より提案されている。これらの装置は、家具の両側にある両側部について、それらをできるだけ同時かつ平行に移動させるのに適している。
【発明の概要】
【発明が解決しようとする課題】
【０００７】
上記のような従来の装置は、好適には、引き出しの両側を均一に縦方向移動させるために、家具の両側部にラックまたは摩擦面を備えている。ラックまたは摩擦面において、回転歯車または摩擦ギアは、引き出しのいずれか一方側に配置され、かつ、堅いねじれ棒により相互に連結されている。
【０００８】
しかしながら、これらの従来の装置は、非常に複雑であり、これらの組み立ては困難である。
【０００９】
さらに、家具の他の部品と整列させるために、引き出しまたは同様の要素に、１以上の方向の調整が必要となった場合に、不具合が生じ得る。
【００１０】
したがって、本発明の技術的課題は、上述のような従来技術の問題点を解決することのできる、家具の可動部品の移動を安定させるための装置を実現することである。
【００１１】
この技術的課題の範囲内において、この発明の目的は、次のような家具の可動部品の移動を安定させるための装置を実現することである。すなわち、この装置は、簡易な構造であり、経済的であり、寸法（大きさ）を制限でき、適用が容易であり、かつ、引き続きの調整があったとしても可動部品の適切な機能を保証するものである。
【００１２】
この発明の他の目的は、可動部品の開閉装置が適切に作動可能となることによって、可動部品が、その両側における移動を同時かつ平行に実行させることのできる、家具の可動部品の移動を安定させるための装置を実現することである。
【課題を解決するための手段】
【００１３】
これらおよび他の目的だけでなく、本発明に従った技術的課題は、次のような家具の可動部品の移動を安定させるための装置を具現化することによって達成される。すなわち、当該装置は、家具の固定部品に対して、挿入された閉鎖位置と引き出された開放位置との間の移動面を側方スライドガイドに沿って移動可能な家具の可動部品の移動を安定させる装置であって、可動部品には、固定部品に対する可動部品の開移動の最初領域（first tract）および／または閉移動の最終領域（last tract）を成し遂げるための少なくとも１つの開閉装置が設けられている。そして、当該装置の特徴とするところは、次のとおりである。すなわち、当該装置は、固定部品および可動部品の一方に拘束されるように接続可能される、少なくとも１つの回転および／またはスライドする寄り掛かり要素を有する本体部を含む。固定部品および可動部品の他方に拘束され、かつ、寄り掛かり要素に寄り掛かられる側方隣接面が、可動部品の移動面に垂直、かつ、側方スライドガイドと平行に配置されている。寄り掛かり要素は、寄り掛かり面を有する。寄り掛かり面は、挿入された閉鎖位置での可動部品の少なくとも一つの移動領域において、対応する側方隣接面と当接状態を維持するように形成および配置されている。
【００１４】
本発明の他の特徴もまた、下記のクレームにおいて明らかにされる。
【００１５】
本発明のさらなる特徴および有利な効果は、本発明に従う家具の可動部品の移動を安定させるための装置の、排他的ではないが好ましい実施形態の説明からさらに明らかになるであろう。これらの実施形態は、下記の添付図面において概略の（限定的ではない）実施例として図示されている。
【図面の簡単な説明】
【００１６】
【図１】第１の好ましい実施形態に従い、その後方部分すなわち後部に、その移動を安定させるための装置が備えられた家具引き出しを示す平面図である。
【図２】図１の詳細を示す図であって、寄り掛かり要素が第１の位置に調整されている安定装置を示す図である。
【図３】図１の詳細を示す図であって、寄り掛かり要素が第２の位置に調整されている安定装置を示す図である。
【図４】第２の好ましい実施形態に従って、引き出しの移動を安定させるための装置を設けた、家具引き出しのためのスライドガイドを示す平面図である。
【図５】図４の５−５線に沿うスライドガイドの断面図である。
【図６】家具の引き出しの移動を安定させるための装置の他の好ましい実施形態を示す図である。
【図７】家具の引き出しの移動を安定させるための装置の他の好ましい実施形態を示す図である。
【図８】家具の引き出しの移動を安定させるための装置の他の好ましい実施形態を示す図である。
【図９】家具の引き出しの移動を安定させるための装置の他の好ましい実施形態を示す図である。
【図１０】家具の引き出しの移動を安定させるための装置の他の好ましい実施形態を示す図である。
【発明を実施するための形態】
【００１７】
以下に説明する本発明の種々の好ましい実施形態において同等の部分には、同一の参照符号が付されている。
【００１８】
列挙された図を参照すると、固定部品１と、その固定部品１に対して移動可能な可動部品２とを有する家具が示されている。
【００１９】
可動部品２は、以下に言及されるように、必須ではないが、たとえば引き出し４を含む。引き出し４は、底部５と、正面部６と、対向する２つの側部７と、後部８とを有する。
【００２０】
引き出し４は、公知のように、前方に開口のある区画９内をスライド可能である。区画９は、家具の固定部品１に位置している。また、区画９は、対向する２つの側壁１０、下方壁１１、後壁１２および上方壁（図示せず）によって範囲が定められている。
【００２１】
引き出し４は、側方スライドガイド３によって案内される。これにより、引き出し４は、挿入された閉鎖位置と引き出された開放位置との間の移動面において移動する。
【００２２】
各側方スライドガイド３は、公知のように、移動可能な第１のガイド要素１４と、固定された第２のガイド要素１３とを具備している。第１のガイド要素１４は、引き出し４の底部５と側部７との間の、縦方向に延びる外縁部に沿って設けられている。第２のガイド要素１３は、区画９の側壁１０に設けられている。また、この事例では、各側方スライドガイド３は、必須ではないが、第３のガイド要素１５も具備している。第３のガイド要素１５は、第１のガイド要素１４と第２のガイド要素１３との間にスライド可能に挿入されている。
【００２３】
引き出しは、周知のように、ガイド３の向きである縦方向に沿って、水平な引き出し方向にスライド可能である。
【００２４】
各スライドガイド３には、横方向、高さ方向および引き出し方向における引き出し４の支持位置を良好に調整するための公知のシステム１６が備えられている。
【００２５】
ここで言及される本発明の排他的ではないが典型的な適用において、２つの側方スライドガイドの各々に公知の開閉装置１７を具備する引き出し４が備えられる。開閉装置１７によれば、引き出し４の開移動の最初領域および／または閉移動の最終領域を容易にすることができる。
【００２６】
いずれの事例においても、一つの開閉装置が、２つのスライドガイド３のうちの一つに対してのみ設けられてもよい。
【００２７】
図４および５には、引き出し４を引き出すのに適した装置１７が示されている。装置１７は、特に、閉移動の最終領域内に引き出しを閉じ込めるのを補助する。これにより、減速器１８の動作と対照的に引き出しを引っ込め、挿入された閉鎖位置で引き出しをロック状態に保つことができる。
【００２８】
追加の好ましい適用では、取っ手または同様の握り手段のない引き出しにおいて、開閉装置は、たとえば、ラチェットタイプで、開放のためだけに動作するものであってもよい。あるいは、開放および閉鎖の両方の動作を行う公知タイプのものであってもよい。本発明によれば、可動部品２の移動を安定させるための装置が備えられる。この装置は、本体部１９を含む。本体部１９は、回転および／またはスライドする少なくとも１つの寄り掛かり要素（rest element）２０を有している。寄り掛かり要素２０は、家具の固定部品１および可動部品２の一方に対して、拘束されるように接続される。寄り掛かり要素２０は、寄り掛かり面を有している。寄り掛かり面は、挿入された閉鎖位置での可動部品２の少なくとも一つの移動領域において、対応する側方隣接面１０’と当接状態を維持するように形成および配置されている。この側方隣接面１０’は、家具の可動部品２または固定部品１（固定部品１および可動部品２の他方）に対して拘束される面である。また、側方隣接面１０’は、通常、側方スライドガイド３と平行方向に、家具の可動部品２の移動面に対して垂直に延びている。
【００２９】
優先的には、寄り掛かり要素２０の寄り掛かり面は、相手面に対して実質的に平行に延びている。すなわち、いずれの事例においても、固定部品１の側壁１０または引き出し４の側壁の側方隣接面に面しているか、あるいは、ガイドの１要素の側面に面していることを示している。
【００３０】
安定装置の第１の実施形態において、本体部１９は、可動部品２に（図１、２、３、６、８および１０）、または、一つの側方ガイド３の第１の要素１４（この事例は図示せず）に適用可能である。また、寄り掛かり要素２０は、固定部品１の側壁１０の側方隣接面１０’、または、一つの側方ガイド３の第２の要素１３の側方隣接面（この事例は図示せず）に寄り掛からせることができる。
【００３１】
安定装置の第２の実施形態において、本体部１９は、固定部品１（図７および９）に、または、一つの側方ガイド３の第２の要素１３（図４および５）に適用可能である。また、寄り掛かり要素２０は、可動部品２の側部７の側方隣接面７’、または、一つの側方ガイド３の第１の要素１４の側方隣接面に寄り掛からせることができる。
【００３２】
図１〜３に示される安定装置の実施例について説明する。ここでは、寄り掛かり要素２０は、特に、本体部１９によって回転可能に支持されたローラ２１を含む。本体部１９は、引き出し４の後部８の裏側に固定されている。また、本体部１９は、固定された平坦ベース部２２を含む。平坦ベース部２２は、小板状部２３のための支えおよびガイドの役目を果たす。小板状部２３は、引き出し４の側部７に対して垂直な方向に移動可能である。また、小板状部２３は、アーム部２４を有している。アーム部２４の開放端部において、ローラ２１が、引き出し４の底部５に対し垂直な回転軸を中心に回転される。
【００３３】
アーム部２４は、区画９の一部分に向かって突出している。この部分は、区画９の側壁１０の内側１０’と、引き出し４の側部７の外側における後方延長部との間の範囲である。ローラ２１は、引き出し４の引き出し移動中ずっと、区画９の側壁１０における内側の隣接面１０’に沿って、引き出し４の引き出し方向に回転する。望ましくは、この形態の安定装置には、本体部１９の寄り掛かり要素２０の位置を調整するための手段が設けられる。このような手段は、たとえば、引き出し４の壁の厚みが変わる場合に、必要である。より特定的には、調整手段は、レバー２５を含む。レバー２５は、引き出し４の後部８に対して垂直な回転軸によって平坦ベース部２２に軸付けされている。また、レバー２５は、小板状部２３の穴２７に係合された偏心部２６を有している。レバー２５の回転の結果、偏心部２６が穴２７の壁を押すため、小板状部２３およびそれに拘束されるアーム部２４の位置が調整される。このようにして、区画９の側壁１０の面１０’から引き出し４の側部７の外側までの距離が変わっても、ローラ２１が面１０’に当接することを保証することができる。図１に示されるように、引き出し４の後部８の端部に、２つの安定装置が備えられることが好ましい。２つの安定装置は、引き出し４の中央面に対して対向する両端部にそれぞれ配置される。
【００３４】
図４および５に示される安定装置の実施例について説明する。ここでは、寄り掛かり要素２０は、特に、本体部１９によって回転可能に支持されるローラ２８を備えている。本体部１９は、ピン２９を含む。ピン２９は、側方ガイド３の第２の要素１３の後方領域に固定されている。ピン２９は、特に、区画９の側壁に設置された第２のガイド要素１３の翼状部３０の上側に固定されている。ピン２９は、ローラ２８の回転軸を規定し、翼状部３０に対し垂直に設けられている。ローラ２８は、引き出し４の真下に配置される。ローラ２８は、引き出し４の引き出し移動の初期において、第１のガイド要素１４の翼状部３１の外側の隣接面３１’に沿って回転する。第１のガイド要素１４の翼状部３１は、第２のガイド要素１３の翼状部３０に対し垂直である。
【００３５】
図６に示される安定装置の実施例について説明する。ここでは、寄り掛かり要素２０は、特に、本体部１９によって回転可能に支持されるローラ３２を含む。本体部１９は、引き出し４の後部８の裏側に固定されている。また、本体部１９は、小板状部３４を支持および案内するヒンジとしての平坦ベース部３３を含む。小板状部３４は、ローラ３２を支持し、引き出し４の側部７に対して垂直方向に移動可能である。ローラ３２は、引き出し４の底部５に対し垂直な回転軸によって支持されている。また、ローラ３２は、引き出し４の引き出し移動中ずっと、区画９の側壁１０における内側の隣接面１０’に沿って、引き出し４の引き出し方向に回転する。望ましくは、この形態の安定装置にもまた、本体部１９の寄り掛かり要素２０の位置を調整するための手段が設けられる。より具体的には、調整手段は、ねじボルト３５を含む。ねじボルト３５は、ヒンジベース部３３に軸付けされ、小板状部３４の穴３７に係合された偏心部３６を有している。ねじボルト３５の回転の結果、偏心部３６が穴３７の壁を押すため、小板状部３４の位置が調整される。
【００３６】
図７に示される安定装置の実施例について説明する。ここでは、寄り掛かり要素２０は、特に、本体部１９に回転可能に支持される２つのローラ３２を含む。本体部１９は、区画９の後方領域において、区画９の側壁１０の内側に固定されている。また、本体部１９は、平坦ベース部３９およびブラケット４０を含む。平坦ベース部３９は、側壁１０に本体部１９を固定するためのものである。ブラケット４０は、ローラ３８を支持し、平坦ベース部３９に垂直である。これらローラ３８の回転軸は、互いに平行であり、平坦固定ベース部３９に平行な水平面に含まれる。ローラ３８は、引き出し４の引き出し移動の初期において、引き出し４の側部７における外面７’に沿って回転する。
【００３７】
図８に示される安定装置の実施例について説明する。ここでは、寄り掛かり要素２０は、特に、本体部１９に回転可能に支持されるローラ４１を含む。本体部１９は、引き出し４の裏側８に配置される平坦ベース部４２を有する。この平坦ベース部４２は、側方翼状部４２’を有している。側方翼状部４２’は、引き出し４の後部８上に延びる、逆Ｕ字状の断面を有している。翼状部４２’は、引き出し４の内側から寄り掛かり要素２０の位置の調整を許可するために、引き出し４の後部８の内側に配置された壁部４２”を有する。この壁部４２”は、ねじボルト５０を固定するための溝部４９を具備する。支持板状部４２は、ねじボルト５０により支持板状部４２が適切な位置に固定されることによって、横方向に移動可能である。ローラ４１は、引き出し４の底部５に垂直な回転軸によって支持されている。また、ローラは、引き出し４の引き出し移動中ずっと、区画９を定めている側壁１０の内面１０’に沿って、引き出し４の引き出し方向に回転する。
【００３８】
図９に示された安定装置の実施例について説明する。ここでは、本体部１９および寄り掛かり要素２０が、一部品として形成されている。本体部１９は、この部品の平坦部分４３で構成されている。平坦部分４３は、区画９の後方領域において、区画９の側壁１０の内側に固定されている。これに対し、寄り掛かり要素２０は、この部品の丸みを帯びた部分４４で構成されている。丸みを帯びた部分４４は、引き出し４の引き出し移動の初期において、引き出し４の側部７の外面７’に沿ってスライドする。
【００３９】
図１０に示される安定装置の実施例について説明する。ここでは、本体部１９および寄り掛かり要素２０が、一部品として形成されている。本体部１９は、この部品の直角部分４５で構成されている。この部分４５は、引き出し４の側部７の上端縁に固定されている。これに対し、寄り掛かり要素２０は、この部品の丸みを帯びた部分４６で構成されている。丸みを帯びた部分４６は、引き出し４の引き出し移動中ずっと、区画９の側壁１０の内面１０’に沿ってスライドする。
【００４０】
寄り掛かり要素２０の横方向の調整は、２つのねじボルト５１によって実行可能である。これらねじボルト５１は、本体部１９の部分４５における長穴５２をそれぞれ貫通している。
【００４１】
上述のように、安定装置は、通常、本体部１９が１以上の寄り掛かり要素２０を有するものとなり得る。また、安定装置は、特に簡易なガイドの場合に、引き出しの一方側にさえ適用（設置）されればよい。特に引き出しのサイズが大きい場合および／または引き出しが重い場合には、安定装置は、引き出しの両側に適用されることが好ましい。
【００４２】
実際に用いられる安定装置は、必ずしも同じタイプである必要がない。また、ある局面においては、引き出しの両側に必ずしも同じタイプでない安定装置を適用する方が好都合であるかもしれない。
【００４３】
本発明に従う安定装置によれば、簡易な構造であり、経済的であり、寸法を制限でき、適用が容易となるであろう。また、可動部品が、常に、同時および平行にその両側を移動させることを保証することができる。その結果、開閉のために設けられた各装置の適正な動作が可能になる。
【００４４】
ここで考え出された家具の可動部品の移動を安定させるための装置は、本発明の概念の範囲内であれば、種々の修正や変更が可能である。さらに、装置の細部は全て、技術的に等しい要素によって置換可能である。
【００４５】
実施においては、その寸法だけでなく使用される材料も、要求および技術状態に従ったものとしてよい。
【符号の説明】
【００４６】
１  固定部品、２  可動部品、３  側方スライドガイド、４  引き出し、５  底部、６  正面部、７  側部、７’，１０’，３１’  隣接面、８  後部、９  区画、１０  側壁、１１  下方壁、１２  後壁、１３  第２のガイド要素、１４  第１のガイド要素、１５  第３のガイド要素、１６  システム、１７  開閉装置、１８  減速器、１９  本体部、２０  寄り掛かり要素、２１，２８，３２，３８，４１  ローラ、２２，３３，３９，４２  平坦ベース部、２３，３４  小板状部、２４  アーム部、２５  レバー、２６，３６  偏心部、２７，３７  穴、２９  ピン、３０，３１  翼状部、３５，５０，５１  ねじボルト、４０  ブラケット、４２’  側方翼状部、４３  平坦部分、４４，４６  丸みを帯びた部分、４５  直角部分、４９  溝部、５２  長穴。
【図１】
0006047565.tif 000002
【図２】
0006047565.tif 000003
【図３】
0006047565.tif 000004
【図４】
0006047565.tif 000005
【図５】
0006047565.tif 000006
【図６】
0006047565.tif 000007
【図７】
0006047565.tif 000008
【図８】
0006047565.tif 000009
【図９】
0006047565.tif 000010
【図１０】
0006047565.tif 000011